【事件の表示】
　上記当事者間の特許第３０７３９８９号「棒状化粧材繰出容器」の特許無効審判事件についてされた平成１６年１０月　５日付け審決に対し、東京高等裁判所において審決取消の決定（平成１６年行ケ第５００号平成１７年２月２２日決定言渡）があったので、さらに審理のうえ、次のとおり審決する。
【結　論】
　訂正を認める。
　特許第３０７３９８９号の請求項１、２及び９に記載された発明についての特許を無効とする。
　審判費用は、被請求人の負担とする。
【理　由】
第１．手続の経緯
（１）本件特許３０７３９８９号の請求項１ないし１１に係る発明についての出願は、平成１１年１０月１９日に出願され、平成１２年６月２日にその発明について特許権の設定登録がされたものである。
（２）これに対し、請求人は、平成１６年２月４日に請求項１、２及び９に係る発明の特許について無効審判を請求した。
（３）被請求人は、平成１６年４月３０日に第１回の答弁書を提出した。
（４）請求人及び被請求人は、平成１６年９月３０日にそれぞれ口頭審理陳述要領書を提出し、同日、特許庁審判廷において、第１回口頭審理が行われた。
（５）平成１６年１０月５日付けで、「特許３０７３９８９号の請求項１、２及び９に係る発明についての特許を無効とする。」との審決がなされた。
（６）これに対し、平成１６年１１月１０日に、被請求人は、上記審決を取り消すことを求めた審決取消訴訟を東京高等裁判所に提起した（平成１６年行ケ第５００号）ところ、被請求人により訂正審判の請求があり、平成１７年２月２２日に、東京高等裁判所おいて、差戻し決定がなされた。
（７）被請求人は、平成１７年３月１５日に、訂正請求書を提出した。 
（８）これに対し、請求人は、平成１７年４月２０日に弁駁書を提出した。
（９）被請求人は、平成１７年６月２日に第２回の答弁書を提出するとともに、平成１７年６月２１日に、該答弁書を補正する手続補正書を提出した。
（１０）請求人は、平成１７年７月５日に口頭審理陳述要領書を提出し、同日、特許庁審判廷において、第２回口頭審理が行われた。
　
第２．訂正の可否に対する判断
１．訂正の内容
　平成１７年３月１５日付けの訂正請求の要旨は、本件特許に係る願書に添付した明細書（特許の設定登録時の明細書であり、本件特許掲載公報のとおり。以下、「本件特許明細書」という。）を訂正請求書に添付した訂正明細書（以下、「本件訂正明細書」という。）のとおり訂正することを求めるものであり、その訂正の内容は次のとおりである。
（１）訂正事項ａ
　請求項１の記載を、次のとおりに訂正する。
「【請求項１】
アイライナー又はアイブロウ用の細径の
この先筒に回動可能に連結される容器本体と、
棒状化粧材を挟み込んで保持する複数の爪片からなる化粧材保持部と、
前記先筒内周面に形成され前記爪片が収容される複数の摺動溝とを備え、
前記先筒と容器本体との回動により前記化粧材保持部を進退させて棒状化粧材の繰上および繰下をする
アイライナー又はアイブロウ用の
前記各爪片の外周面または前記摺動溝の摺動当接面の少なくとも一方に摺動当接部を備え、
前記各爪片の先端部内周面にはテーパ面が設けられ、
（２）訂正事項ｂ
　請求項２の記載を、次のとおりに訂正する。
「【請求項２】前記摺動当接部は、前記爪片の外周面に形成された
略半球形状の
（３）訂正事項ｃ
　請求項９の記載を次のとおりに訂正する。
「【請求項９】
前記先筒の前記摺動溝は、その断面が、内径側の内周線が短く外径側の外周線が長い扇形断面となるように形成され、それにより、摺動溝内に位置する
（４）訂正事項ｄ
　明細書の【００１５】の記載を、次のとおりに訂正する。
「【００１５】
【課題を解決するための手段】第１の発明では、
アイライナー又はアイブロウ用の細径の
アイライナー又はアイブロウ用の
前記各爪片の先端部内周面にはテーパ面が設けられ、
（５）訂正事項ｅ
　明細書の【００１６】の記載を、次のとおりに訂正する。
「【００１６】第２の発明では、前記摺動当接部は、前記爪片の外周面に形成された
略半球形状の
（６）訂正事項ｆ
　明細書の【００２３】の記載を、次のとおりに訂正する。
「【００２３】第９の発明では、
前記先筒の前記摺動溝は、その断面が、内径側の内周線が短く外径側の外周線が長い扇形断面となるように形成され、それにより、摺動溝内に位置する
（７）訂正事項ｇ
　明細書の【００２６】の記載を、次のとおりに訂正する。
「【００２６】
【発明の作用および効果】第１の発明では、爪片は摺動当接部を介して摺動当接面に支持されるので、棒状化粧材を爪片間に装着する場合等に、設計で予定されている以上に外側（摺動当接面側）に広がってしまうことはない。このように、爪片の変形が有効に防止されるので、棒状化粧材は安定して保持され、安定した繰上、繰下動作を行うことができる。
また、前記各爪片の先端部内周面にはテーパ面が設けられているので、棒状化粧材の挿入、装着を容易かつ的確に行うことができる。
（８）訂正事項ｈ
　明細書の【００２７】の記載を、次のとおりに訂正する。
「【００２７】第２の発明では、摺動当接部は爪片外周面に形成された
略半球形状の
（９）訂正事項ｉ
　明細書の【００３４】の記載を、次のとおりに訂正する。
「【００３４】第９の発明では、
摺動溝の断面を、内径側の内周線が短く外径側の外周線が長い扇形断面となるように形成し、それにより、摺動溝内に位置する
（１０）訂正事項ｊ
　明細書の【００４８】の記載を、次のとおりに訂正する。
「【００４８】また、爪片３２の内周面３７としては、図２（Ａ）に示すようなフラットな内周面３７Ａ、あるいは図２（Ｂ）に示すような棒状化粧材Ａと略同型の円弧状の内周面３７Ｂ等を選択的に採用し得る。
また、図４に示すように、爪片３２の上端部内周面にはテーパ面が設けられている。
（１１）訂正事項ｋ
　明細書の【００７１】の記載を、次のとおりに訂正する。
「【００７１】図示されるように、本実施の形態においては、棒状化粧材Ａの保持部は、３片の爪片３２で構成される。これらの爪片３２は、中心角が略１２０度の等角度で配置されている。このように、爪片３２の片数は、棒状化粧材の硬度、太さ等に応じて、変更することができる。
また、図８に示すように、爪片３２の上端部内周面にはテーパ面が設けられている。
（１２）訂正事項ｌ
　明細書の【００８５】の記載を、次のとおりに訂正する。
「【００８５】本実施の形態においては、爪片３２の外周には、摺動当接部として、上記第１〜第３の実施の形態における摺動突起３６の代わりに、摺動凸条（リブ）３９が形成されている。
また、図１１に示すように、爪片３２の上端部内周面にはテーパ面が設けられている。
　
２．訂正の目的の適否、新規事項の有無及び特許請求の範囲の拡張・変更の存否
（１）訂正事項ａについて
ア．訂正事項ａは、請求項１における「棒状化粧材」を「アイライナー又はアイブロウ用の細径の棒状化粧材」と限定し、「棒状化粧材繰出容器」を「アイライナー又はアイブロウ用の棒状化粧材繰出容器」と限定するとともに、「各爪片」に関して「各爪片の先端部内周面にはテーパ面が設けられ、」と限定するものであり、特許請求の範囲の減縮を目的とする訂正に該当する。
イ．「棒状化粧材」を「アイライナー又はアイブロウ用の細径の棒状化粧材」と限定し、「棒状化粧材繰出容器」を「アイライナー又はアイブロウ用の棒状化粧材繰出容器」と限定することは、本件特許明細書の段落【０００１】における「本発明は、細径の棒状化粧材（特にアイライナー、アイブロウ、リップライナー等）を複数の爪片により保持する棒状化粧材繰出容器に関し、様々な物性の棒状化粧材をその物性に応じて安定して適切に保持できるようにした改良に関する。」の記載に基づくものであるから、本件特許明細書の記載の範囲内と認められる。
ウ．「各爪片」に関して「各爪片の先端部内周面にはテーパ面が設けられ、」と限定することは、本件特許明細書の段落【００９６】の「また、爪片３２の上端部にテーパ面３２ａが設けられているので、棒状化粧材Ａを爪片３２内に挿入するとき、棒状化粧材Ａはスムーズに爪片３２の中央に導かれる。したがって、棒状化粧材Ａの装着を、容易かつ的確なものとできる。」の記載と図１７の記載に基づくものであるから、本件特許明細書又は図面の記載の範囲内と認められる。
エ．したがって、訂正事項ａについては、本件特許明細書又は図面に記載した事項の範囲内であり、新規事項に該当せず、さらに、実質的に特許請求の範囲を拡張又は変更するものでもない。
（２）訂正事項ｂについて
ア．訂正事項ｂは、請求項２における「突起」を「略半球形状の突起」と限定するものであり、特許請求の範囲の減縮を目的とする訂正に該当する。
イ．「突起」を「略半球形状の突起」と限定することは、本件特許明細書の段落【００５５】における「なお、本実施の形態では、摺動突起３６は略半球形状のものである。」の記載に基づくものであるから、本件特許明細書の記載の範囲内と認められる。
ウ．したがって、訂正事項ｂについては、本件特許明細書に記載した事項の範囲内であり、新規事項に該当せず、さらに、実質的に特許請求の範囲を拡張又は変更するものでもない。
（３）訂正事項ｃについて
ア．訂正事項ｃは、「摺動溝」に関して、「前記先筒の前記摺動溝は、その断面が、内径側の内周線が短く外径側の外周線が長い扇形断面となるように形成され、」と限定するとともに、「前記爪片を摺動溝に係合させ、前記爪片が前記先筒の内径方向へ脱出することを防止した」に関して、「それにより、摺動溝内に位置する前記爪片を前記摺動溝に係合させ、前記爪片が前記先筒の内径方向へ脱出することを防止した」と限定するものであり、特許請求の範囲の減縮を目的とする訂正に該当する。
イ．「摺動溝」に関して、「前記先筒の前記摺動溝は、その断面が、内径側の内周線が短く外径側の外周線が長い扇形断面となるように形成され、」と限定することは、本件特許明細書の段落【００９３】の「詳しく説明すると、先筒１０の摺動溝１３は断面扇形に形成され、内径側の内周線が短く、外径側の外周線が長くなっている。」の記載と図１６の記載に基づくものであり、「前記爪片を摺動溝に係合させ、前記爪片が前記先筒の内径方向へ脱出することを防止した」に関して、「それにより、摺動溝内に位置する前記爪片を前記摺動溝に係合させ、前記爪片が前記先筒の内径方向へ脱出することを防止した」と限定することは、本件特許明細書の段落【００９４】の「また、爪片３２は、この摺動溝１３にちょうど収められるように、相似の扇形断面となっている。」の記載と段落【００９５】の「このように、爪片３２と摺動溝１３を脱出不能に係合させることにより、爪片３２が内径方向へ倒れたり、曲がったりすることを防止できる。また、組み立ての際には、爪片３２を摺動溝１３の端部から係合させれば、爪片３２は確実に摺動溝１３内に装着される。」の記載に基づくものであるから、本件特許明細書又は図面の記載の範囲内と認められる。
ウ．したがって、訂正事項ｃについては、本件特許明細書又は図面に記載した事項の範囲内であり、新規事項に該当せず、さらに、実質的に特許請求の範囲を拡張又は変更するものでもない。
（４）訂正事項ｄないしｆ、訂正事項ｈ、ｉ
　訂正事項ｄないしｆ及び訂正事項ｈ、ｉは、訂正事項ａないしｃに伴って、発明の詳細な説明の記載を特許請求の範囲と整合させるためのもので、明りょうでない記載の釈明を目的とする訂正に該当し、新規事項に該当せず、さらに、実質的に特許請求の範囲を拡張又は変更するものでもない。
（５）訂正事項ｇ
ア．訂正事項ｇは、【発明の作用および効果】の欄に、「また、前記各爪片の先端部内周面にはテーパ面が設けられているので、棒状化粧材の挿入、装着を容易かつ的確に行うことができる。」の記載を追加するものであり、訂正事項ａに伴い、請求項１に付加した事項による作用効果の記載を付加するものであり、明りょうでない記載の釈明を目的とする訂正に該当する。
イ．「また、前記各爪片の先端部内周面にはテーパ面が設けられているので、棒状化粧材の挿入、装着を容易かつ的確に行うことができる。」の記載は、本件特許明細書の段落【００９６】の「また、爪片３２の上端部にテーパ面３２ａが設けられているので、棒状化粧材Ａを爪片３２内に挿入するとき、棒状化粧材Ａはスムーズに爪片３２の中央に導かれる。したがって、棒状化粧材Ａの装着を、容易かつ的確なものとできる。」の記載に基づくものであるから、本件特許明細書の記載の範囲内と認められる。
ウ．したがって、訂正事項ｇについては、本件特許明細書に記載した事項の範囲内であり、新規事項に該当せず、さらに、実質的に特許請求の範囲を拡張又は変更するものでもない。
（６）訂正事項ｊないしｌについて
　訂正事項ｊないしｌは、図４、図８、図１１の記載に基づいて、発明の詳細な説明において、図４、図８、図１１に記載された爪片３２の上端部内周面にはテーパ面が設けられている点を明確にするものであって、明りょうでない記載の釈明を目的とする訂正に該当するとともに、本件特許明細書又は図面の記載の範囲内の訂正であると認められる。
　したがって、訂正事項ｊないしｌについては、本件特許明細書又は図面に記載した事項の範囲内であり、新規事項に該当せず、さらに、実質的に特許請求の範囲を拡張又は変更するものでもない。
（７）請求項３ないし８、１１に係る発明の独立特許要件について
訂正事項ａないしｃによる請求項１、２及び９の訂正に伴い、これらの請求項を引用する、無効審判が請求されていない請求項３ないし８、１１が訂正されたが、これらの請求項にされた訂正は、特許請求の範囲の減縮を目的とするもので、新規事項の追加に該当せず、実質的に特許請求の範囲を拡張又は変更するものでなく、これらの請求項に記載されている事項により特定される発明が特許出願の際に独立して特許を受けることができない発明でもない。
　
３．むすび
　以上のとおりであるから、上記訂正は、特許法第１３４条の２第１項ただし書、及び同条第５項で読み替えて準用する同法第１２６条第３項ないし第５項の規定に適合するので、当該訂正を認める。
　
第３．当事者の主張
１．請求人の主張
　請求人は、本件訂正明細書の特許請求の範囲の請求項１、２及び９に係る発明は、甲第１号証に記載の発明に基いて当業者が容易に発明をすることができたものであって、特許法第２９条第２項の規定により特許を受けることができないものであるから、これらの発明の特許は同法第１２３条第１項第２号の規定により無効とすべきものである旨主張している。
　
（証拠方法）
甲第１号証：実公昭５３−５２５２０号公報
甲第２号証：実願昭５８−１２４４３９号（実開昭６０−３３９１９号）のマイクロフィルム
甲第３号証：特許第３０７３９８９号公報（本件特許公報）
甲第４号証：実願平３−９０８６２号（実開平５−３９４１８号）のＣＤ−ＲＯＭ
甲第５号証：米国特許第５７６５９５５号明細書
甲第６号証：実願昭５３−１４４２５号（実開昭５４−１１９７７１号）のマイクロフィルム
甲第７号証：米国特許第５８７１２９５号明細書
　
　なお、平成１７年４月２０日付けの弁駁書の「７．弁駁の趣旨」において、「（１）上記審判事件に関し、被請求人より本件特許第３０７３９８９号の明細書を訂正する訂正請求書（以下、「本件訂正請求書という。」）が提出されたが、訂正後の請求項１，２及び９に係る発明は、甲第１号証及び甲第２号証に記載された発明に基づき、当業者が容易に発明することができたものであり、特許法第２９条第２項の規定により、特許を受けることができないものであるから、特許法第１２３条第２項の規定により無効とされるべきである。」の記載のうち、「甲第１号証及び甲第２号証に記載された発明に基づき、当業者が容易に発明することができたものであり、」の点は、平成１７年７月５日の第２回口頭審理において、「甲第１号証に記載された発明に基づき、当業者が容易に発明することができたものであり、」に訂正された。
　また、同「７．弁駁の趣旨」における「（２）本件訂正請求書により、請求項１の棒状化粧材につき、「アイライナー又はアイブロウ用の細径の」なる限定が付加されたが、「細径」の意義が不明確であり、訂正後の請求項１の記載は特許法第３６条第６項第１号及び同第２号に違反するものである。したがって、本件請求項１に係る特許は特許法第１２３条第４項の規定により無効とされるべきである。」との主張については、上記第２回口頭審理において撤回された。
　
２．被請求人の主張
　被請求人は、本件訂正明細書の特許請求の範囲の請求項１、２及び９に係る発明は、いずれも、甲第１号証に記載された発明に基いて容易に発明をすることができたものではないから、これらの発明は特許法第２９条第２項に該当するものではない旨主張している。
　
第４．本件発明
　本件訂正後の請求項１、２及び９に係る発明（以下、請求項１に係る発明を「本件発明１」といい、同様に請求項２及び９に係る発明をそれぞれ「本件発明２」及び「本件発明９」という。）は、本件訂正明細書及び本件特許の設定登録時の図面の記載からみてその特許請求の範囲の請求項１、２及び９に記載された事項により特定される次のとおりのものと認められる。
「【請求項１】アイライナー又はアイブロウ用の細径の棒状化粧材を進退可能に収容する先筒と、
この先筒に回動可能に連結される容器本体と、
棒状化粧材を挟み込んで保持する複数の爪片からなる化粧材保持部と、
前記先筒内周面に形成され前記爪片が収容される複数の摺動溝とを備え、
前記先筒と容器本体との回動により前記化粧材保持部を進退させて棒状化粧材の繰上および繰下をするアイライナー又はアイブロウ用の棒状化粧材繰出容器において、
前記各爪片の外周面または前記摺動溝の摺動当接面の少なくとも一方に摺動当接部を備え、
前記各爪片の先端部内周面にはテーパ面が設けられ、
少なくとも前記爪片間に棒状化粧材を支持したときには前記各爪片が前記摺動当接部を介して前記摺動当接面に常時当接するようにしたことを特徴とする棒状化粧材繰出容器。
【請求項２】前記摺動当接部は、前記爪片の外周面に形成された略半球形状の突起であることを特徴とする請求項１に記載の棒状化粧材繰出容器。
【請求項９】前記先筒の前記摺動溝は、その断面が、内径側の内周線が短く外径側の外周線が長い扇形断面となるように形成され、それにより、摺動溝内に位置する前記爪片を前記摺動溝に係合させ、前記爪片が前記先筒の内径方向へ脱出することを防止したことを特徴とする請求項１から請求項８のいずれか一つに記載の棒状化粧材繰出容器。」
　
第５．各甲号証
１．甲第１号証
　甲第１号証には、第１、２図と共に以下の事項が記載されている。
ａ）「案内筒側壁に筒軸方向に切欠した数本のスリットに嵌合した嵌合爪を該案内筒内を摺動自在に成る押盤に一体成型し、且つ外周方向に弾性附勢すると共に螺子作用に依り筒状容器内を進退する様に成る芯チャップの嵌合爪を、上記案内筒に芯口を有する外筒を挿着した時、該外筒内壁が、僅かに内方に押圧する様に構成し、化粧品の芯を該押圧に依り上記芯チャックに挟持する事を特徴とする棒状化粧品用容器。」（第１欄実用新案登録請求の範囲）
ｂ）「従来、口紅、アイシャドウ、眉墨等の棒状固形化粧品の容器は、一搬に該化粧品の芯を芯チャック挟持又は嵌着して保持し、該芯チャックを進退させて使用するものであつた。」（第１欄第２８〜３１行）
ｃ）「弾発力に依って常時僅かに開いて成る数本の嵌合爪を有する芯チャックに化粧品の芯を挿入した後、外筒を上記嵌合爪を内方に押圧しながら嵌合する事に依り、先に挿入した化粧品の芯を芯チャックが完全に銜えて挟持する様に成る棒状化粧品用容器を提唱せんとするものである。」（第２欄第１〜７行）
ｄ）「第１図は本考案、棒状化粧品用容器の断面図であり、案内筒１は後端を継手筒２に回動自在に嵌合し割リング３に依って抜落ちない様成ると共に先端半分は筒状の周囲に等間隔に平行スリット切欠４を設けて成る。上記案内筒１の後方より螺子筒５を回動自在に挿入し該螺子筒５の雌螺子６に芯チャック７と一体成形に成る螺子軸８を上記案内筒１の前方から螺合して成る。該芯チャック７は上記螺子軸８と連続した、上記案内筒１より僅かに小径な円盤状の押盤９と該押盤の周側に固設し、前記案内筒１のスリット切欠４に摺動自在に嵌合して成る嵌合爪１０から成り、該嵌合爪１０は案内筒１の筒厚より僅かに厚く又、円筒外向きに僅かに弾性符勢して成ると共に嵌合爪１０外端部に小突条１１が設けられる。
　１２は芯口１３を有する外筒であり、上記案内筒１前方より冠挿し、後端は該案内筒腹部１′と取外し可能に圧入固着して成ると共に上記芯チャック７の嵌合爪１０に設けられた小突条１１を内方に僅かに押込んで成る。
　１４は、前記螺子筒５後端に圧入嵌着すると同時に継手筒２とも圧入嵌着した有底回動筒であり、１５は、上記継手筒２先端と着脱自在に嵌合して成るキャップである。
　尚、図中ａは棒状化粧品の芯である。
　上記構成に成る化粧品用容器は、回動筒１４を回して螺子筒５を回動する事に依って、該螺子筒５の雌螺子６と螺合した螺子軸８の螺合作用に依り、芯チャック７が案内筒１内を進退する。従って該芯チャック７に挟持された化粧品の芯ａは外筒１２の芯口１３より進退して成るものである。」（第２欄第９行〜第３欄第２行）
ｅ）「次に先に外した外筒１２を再び案内筒１に圧入嵌合するがこの時、外筒１２は該内壁で上記芯チャック７の嵌合爪１０に設けた小突条１１を押しながら挿入する為、嵌合爪１０は化粧品の芯ａ後端部を完全に挟持する。
　然る後回動筒１４を回すと、上記芯チャック７の嵌合爪１０が案内筒１のスリット切欠４に回動を阻止されながら且外筒１２に押圧されながら摺動自在に成る為、回動筒１４と共に回動する螺子筒５と螺子軸８の螺合作用に依り、上記芯チャック７は化粧品の芯ａを挟持したまゝ進退するものであり、」（第３欄第８〜２０行）
ｆ）「以上の様に本考案、棒状化粧品用容器は、該芯チャックの嵌合爪に常時開いて成る様弾性附勢すると共に外筒の内壁で該嵌合爪を内方に押圧する様構成した為、柔らかい化粧品の芯を芯チャックに装填する際、芯に無理な圧力を加えずに装着出来、芯を折損したり、変型させたりする事故を解消する事が出来た。」（第４欄第１〜７行）
ｇ）上記ｂ）の記載より、甲第１号証には、棒状化粧品として眉墨が例示されており、眉墨が細径であることは自明のことであるから、甲第１号証の棒状化粧品用容器が細径の化粧品を対象とするものであるといえる。
ｈ）また、第１図及び第２図には、棒状化粧品の芯ａを挟持する３本の嵌合爪１０からなる芯チャック７と、棒状化粧品の芯ａを芯チャック７を介して進退させると共に収納する案内筒１及び外筒１２とを有し、外筒１２の内壁と案内筒１のスリット切欠４とで形成される３条の溝は、内径側の内周線が短く、外径側の外周線が長い断面扇形になっており、この断面扇形の溝と略相似である断面扇形の嵌合爪１０が、嵌合爪１０の外端部の小突条１１を介して外筒１２の内壁に常時当接するようにして該溝内に嵌合されている棒状化粧品用容器の構成が示されている。
　上記ａ）〜ｈ）の記載事項及び図示内容を総合すると、甲第１号証には、
「眉墨等の細径の棒状化粧品の芯ａを収納して進退させると共に外筒１２を圧入固着した案内筒１と
この外筒１２を圧入固着した案内筒１に対して、回動自在に挿入されると共に嵌合される、螺子筒５に圧入嵌着した有底回動筒１４と、
棒状化粧品の芯ａを挟持する数本の嵌合爪１０からなる芯チャック７と、
前記外筒１２の内壁と案内筒１のスリット切欠４とで形成され前記嵌合爪１０が摺動される数条の溝とを備え、
前記外筒１２を圧入固着した案内筒１と螺子筒５に圧入嵌着した有底回動筒１４との回動により前記芯チャック７を進退させて棒状化粧品の芯ａを進退させる眉墨等の棒状化粧品用容器において、
前記各嵌合爪１０の外端部に小突条１１を備え、
前記嵌合爪間で棒状化粧品の芯ａを挟持したときには前記各嵌合爪１０が前記小突条１１を介して、前記外筒１２の内壁に常時当接するようにし、
断面扇形の前記溝と略相似である断面扇形の嵌合爪１０を前記溝に嵌合させるようにした棒状化粧品用容器」の発明（以下、「甲第１号証発明」という。）が記載されていると認められる。
　
２．甲第２号証
　甲第２号証には、第１〜３図と共に以下の事項が記載されている。
ｉ）「芯筒後部を外筒前部に外挿すると共に、回転自在に連結し、また芯筒内面に形成した摺動溝に化粧料を取付けた芯チャックの爪片を摺動自在に嵌合し、さらに芯チャックの杆体と外筒とを螺合して化粧料を芯筒より出没自在に構成してなる化粧料容器。」（明細書第１頁実用新案登録請求の範囲）
ｊ）「この考案は、棒状の化粧料であるアイライナー、アイブロウ、アイシャドウ、口紅等を収納した繰出式の容器に関するものである。」（同書第１頁第１２〜１４行）
ｋ）「まず、第１図乃至第３図の第１実施例から説明すると、（１）は芯筒であって、前後に貫通する透孔（２）の内周面に等間隔に４条の断面十字状の浅い摺動溝（３）を先端部と後方部を残して長手方向に形成し、さらに後方部（１ａ）の内径を大径に形成して後端近くに浅い環状溝（４）を穿設する。（５）は有底筒状体の外筒であって、内周面に雌ネジ（６）を刻設すると共に、前部を前記芯筒（１）の肉厚分だけ細軸部（５ａ）とし、先端近くの外周面に円周方向に間隔をおいて数個の凸条（７）を突設し、前記芯筒（１）の環状溝（４）に強圧嵌合して回動自在に、かつ芯筒（１）と外筒（５）との外周面を面一に連結する。（８）は芯チャックであって、基板（９）の周面には前記芯筒（１）の摺動溝（３）に摺動自在に嵌入する４本の爪片（１０）を先端方向に向って突設すると共に、該爪片（１０）の内面に細巾の線条（１１）を突設して爪片（１０）内に化粧料（Ａ）を圧嵌する。また基板（９）の後方には杆体（１２）を一体に延設し、その後端に突起（１３）を突設して前記外筒（５）の雌ネジ（６）に螺合する。」（同書第２頁第１８行〜第３頁第１６行）
ｌ）「この様に構成されているので、芯筒（１）に対して外筒（５）を回転することによって芯チャック（８）の杆体（１２）の突起（１３）は外筒（５）の雌ネジ（６）によって前進するため、芯チャック（８）の爪片（１０）は芯筒（１）の摺動溝（３）に沿って摺動前進し、爪片（１０）に挟持されている化粧料（Ａ）は芯筒（１）の先端より突出させることができる。また外筒（５）を逆に回転すれば上記と反対に作動して芯チャック（８）は後退し化粧料（Ａ）を芯筒（１）内に没入収納させることができる。」（同書第３頁第１９行〜第４頁第７行）
　
３．甲第４号証
　甲第４号証には、第１図ないし第３８図と共に以下の事項が記載されている。
ｍ）「【産業上の利用分野】
  本考案は、棒状化粧料の繰出容器に関する。」（【０００１】）
ｎ）「前記押棒７５の前部には、図３６ないし図３８に示す合成樹脂製の芯チャック８０の止着用孔８１が嵌合して止着してあり、この芯チャック８０は、前記保持筒７０内に前後摺動可能に嵌入してあり、棒状の化粧料８５が装着される。」（【００２９】）
ｏ）図３６ないし図３８の記載から、棒状化粧料８５を装着する芯チャック８０において、化粧料８５を保持するための４本の爪状部分の先端部内周面にテーパ面が形成されていることが明らかである。
　
４．甲第５号証
　甲第５号証には、図１ないし図２８と共に以下の事項が記載されている。（訳文は、平成１７年７月５日に請求人が提出した口頭審理陳述要領書に添付された「資料１」による。）
ｐ）「Stick-shaped cosmetic cartridge and stick-shaped cosmetic extrusion case（棒状化粧材カートリッジと棒状化粧材押出しケース）」（発明の名称）
ｑ）「The holder 50 inserted into the housing cylinder 40 is made of resin and comprises a holding portion 51 and a shaft portion 52, as shown in FIG. 8 and FIG. 9. As shown in FIG. 10, the holding portion 51 has a bottom plate 53 formed in oval in its top view, and a pair of plate-like holding pieces 54 standing on the bottom plate 53 at the both sides in the longitudinal direction to face each other. The bottom plate 53 is formed in a configuration similar to the cross section of the large-diameter hole portion 44 but of which diameter is smaller than that of the large-diameter hole portion 44 so that the holder can move in the axial direction inside the large-diameter hole portion 44. The holding pieces 54 is each provided with two projections 55 extending in the axial direction formed on the opposite face thereof.（ハウジングシリンダー４０に挿入されるホルダー５０は樹脂で造られ、図８及び図９に示されるように、保持部５１とシャフト部５２からなる。図１０に示されるように、保持部５１は上面視が楕円形の底プレート５３と底プレート５３の両側に長手方向に起立し、互い向き合う一対の板状保持片５４を有している。底プレート５３は大径孔部分４４の断面形状と同様な形状をなし、その径はその大径孔部分４４より小さくされてホルダーが大径孔部分４４内を軸方向に動くことができるようにしている。保持片５４は夫々対向する面の軸方向に延びる突起５５が設けられている。）」（第９欄第６３行〜第１０欄第９行）
ｒ）「The holder 50 holds a stick-shaped cosmetic 90 attached therein. As shown in FIG. 11 through FIG. 13, the stick-shaped cosmetic 90 has the same oval cross section as that of the bottom plate 53 of the holder 50 in size and configuration and comprises engaging concavities 91, 91 formed in the lower end portion thereof on the both sides in the longitudinal direction of the oval section. The engaging concavities 91, 91 are allowed to engage the holding pieces 54, 54 of the holder 50.
That is, the holding pieces 54, 54 hold the bottom of the stick-shaped cosmetic 90 therebetween through the engaging concavities 91, 91 so that the holder 50 elastically holds the stick-shaped cosmetic 90. As the stick-shaped cosmetic 90 is elastically held in such a manner, external impact exerted to the holder 50 and the stick-shaped cosmetic 90 can be absorbed, thereby preventing damage of the stick-shaped cosmetic 90.（ホルダー５０は棒状化粧材９０をそこに保持する。図１１から図１３に示されるように、棒状化粧材９０はホルダー５０の底プレートと同じ形状とサイズを持つ楕円形の断面を持ち、その下端部の断面楕円形の長軸方向の両側に係合凹所９１，９１を有している。この係合凹所９１，９１はホルダー５０の保持片５４，５４と係合する。
　すなわち、保持片５４，５４はその間で係合凹所９１，９１を介して棒状化粧材９０の底部を保持し、これにより、棒状化粧材９０を弾性的に保持する。棒状化粧材９０がこのように弾性的に保持されるので、外部からの衝撃がホルダー５０に作用しても棒状化粧材９０は吸収されて、それにより棒状化粧材９０の損傷が抑えられる。）」（第１０欄第１７〜３３行）
ｓ）図８ないし図１０の記載から、棒状化粧材９０を保持するホルダー５０の保持片５４の先端部内周面にテーパ面が形成されていることが明らかである。
　
５．甲第６号証
　甲第６号証には、第１図ないし第４図と共に以下の事項が記載されている。
ｔ）「眉墨等棒状をした化粧料○１を、収嵌支持する中皿○２とガイドパイプ○３にスプラインを施した事を特徴とした、化粧棒容器の構造。」（実用新案登録請求の範囲）
ｕ）第２図及び第４図の記載から、化粧料○１を収嵌支持する中皿○２の上部に設けられた爪状の部分の断面と、ガイドパイプ○３の内側に設けられ、該爪状の部分が摺動する溝の断面とが、互いに係合するように内径側の内周線が短く外径側の外周線が長い扇形断面となるように形成されていることが明らかである。
　
第６．対比・判断
１．本件発明１について
　本件発明１と甲第１号証発明とを比較すると、後者における「眉墨等の細径の棒状化粧品の芯ａ」がその作用・機能からみて前者における「アイライナー又はアイブロウ用の細径の棒状化粧材」に相当し、以下同様に、「収納して進退させる」が「進退可能に収容する」に、「回動自在に挿入されると共に嵌合される」が「回動可能に連結される」に、「螺子筒５に圧入嵌着した有底回動筒１４」が「容器本体」に、「挟持する数本の嵌合爪１０」が「挟み込んで保持する複数の爪片」に、「芯チャック７」が「化粧材保持部」に、「眉墨等の棒状化粧品用容器」が「アイライナー又はアイブロウ用の棒状化粧材繰出容器」に、それぞれ相当する。
　また、後者の「嵌合爪１０の外端部」、「小突条１１」が、それぞれ、前者の「爪片の外周面」、「摺動当接部」に相当するから、後者における「各嵌合爪１０の外端部に小突条１１を備え」た態様は、前者における「各爪片の外周面または前記摺動溝の摺動当接面の少なくとも一方に摺動当接部を備え」た態様に相当する。
　そして、後者の「外筒１２を圧入固着した案内筒１」と、前者の「先筒」は、共に、棒状化粧材を進退可能に収容する「収容筒」という概念で共通するものであるから、後者の「外筒１２の内壁と案内筒１のスリット切欠４とで形成され嵌合爪１０が摺動自在に嵌合される数条の溝」と前者の「先筒内周面に形成され爪片が収容される複数の摺動溝」とは「収容筒内周面に形成され爪片が収容される複数の摺動溝」と捉え得るものであり、後者の「外筒１２を圧入固着した案内筒１と螺子筒５に圧入嵌着した有底回動筒１４との回動により芯チャック７を進退させて棒状化粧品の芯ａを進退させる」態様と前者の「先筒と容器本体との回動により化粧材保持部を進退させて棒状化粧材の繰上および繰下をする」態様とは「収容筒と容器本体との回動により化粧材保持部を進退させて棒状化粧材の繰上および繰下をする」態様と捉え得るものである。
　さらに、後者の「嵌合爪間で棒状化粧品の芯ａを挟持したときには各嵌合爪１０が小突条１１を介して、外筒１２の内壁に常時当接する」態様が、前者の「少なくとも爪片間に棒状化粧材を支持したときには各爪片が摺動当接部を介して摺動当接面に常時当接する」態様に相当する。
　したがって、両者は、
「アイライナー又はアイブロウ用の細径の棒状化粧材を進退可能に収容する収容筒と、
この収容筒に回動可能に連結される容器本体と、
前記収容筒内周面に形成され前記爪片が収容される複数の摺動溝とを備え、
前記収容筒と容器本体との回動により前記化粧材保持部を進退させて棒状化粧材の繰上および繰下をするアイライナー又はアイブロウ用の棒状化粧材繰出容器において、
前記各爪片の外周面または前記摺動溝の摺動当接面の少なくとも一方に摺動当接部を備え、
少なくとも前記爪片間に棒状化粧材を支持したときには前記各爪片が前記摺動当接部を介して前記摺動当接面に常時当接するようにしたことを特徴とする棒状化粧材繰出容器」
である点で一致し、次の点で相違する。
（相違点１）
　収容筒に関し、本件発明１が、「先筒」という単一に形成された部品からなるものであるのに対し、甲第１号証発明は、「外筒１２を圧入固着した案内筒１」であるところから、「外筒１２」及び「案内筒１」という別体に形成された部品からなる点。
（相違点２）
　本件発明１の各爪片の先端部内周面には「テーパ面」が設けられているのに対し、甲第１号証発明の各爪片の先端部内周面にはかかるテーパ面が設けられていない点。
　そこで、まず、上記の相違点１について検討する。
　棒状化粧材を進退可能に収容する収容筒を、「先筒」という単一に形成された部品で構成することは、例えば、甲第２号証に「棒状の化粧料Ａ（「棒状化粧材」に相当）」を「出没自在（「進退可能」に相当）」に「収納（「収容」に相当）」する「芯筒１（「収容筒」かつ「先筒」に相当）」を備えた「繰出式の化粧料容器（「棒状化粧材繰出容器」に相当）」として開示されているように、この種の分野における周知技術であるといえる。
　したがって、甲第１号証発明に上記の周知技術を適用して本件発明１の相違点１に係る構成とすることは、その適用を阻害する格別の要因が見出せない以上、当業者が必要に応じて適宜なし得ることというべきである。
　次に、上記の相違点２について検討する。
　棒状化粧品の容器において、棒状の化粧品を保持する爪部の先端部内周面にテーパ面を形成することは、例えば、甲第４号証に、「棒状化粧料（「棒状化粧材」に相当）」を装着する「芯チャック８０（「化粧材保持部」に相当）」において、化粧料８５を保持するための４本の爪状部分の先端部内周面にテーパ面が形成されていることが記載されているとともに、甲第５号証に、「棒状化粧材」を保持する「ホルダー５０（「化粧材保持部」に相当）」の「保持片５４（「爪片」に相当）」の先端部内周面にテーパ面が形成されていることが記載されているように周知の技術であり、甲第１号証発明の各爪片において、周知の技術のように、先端部内周面にテーパ面を形成することは、当業者が普通に採用し得る事項である。
　そして、本件発明１により奏される効果も、甲第１号証発明から当業者が予測し得る範囲内のものにすぎない。
　そうすると、本件発明１は、甲第１号証に記載された発明に基いて、当業者が容易に発明をすることができたものであり、特許法第２９条第２項の規定により特許を受けることができないというべきである。
　
　なお、被請求人は、平成１７年６月２日付けの第２回答弁書において、甲第１号証には、アイライナー又はアイブロウ用の細径の棒状化粧材容器についての発明が記載されていない旨主張している。
　確かに、甲第１号証の第１図を参照すると、化粧品の芯ａは、長手方向の長さに比して径が太く記載されており、これを細径とは言い難いとしても、図面は甲第１号証の棒状化粧品用容器の一実施例を示すものであって、甲第１号証の記載全体から把握される発明がこの図面の記載のものに限定して解釈されるものではない。
　そして、甲第１号証の第２８〜３１行には、「従来、口紅、アイシャドウ、眉墨等の棒状固形化粧品の容器は、一搬に該化粧品の芯を芯チャック挟持又は嵌着して保持し、該芯チャックを進退させて使用するものであつた。」と記載されており、甲第１号証に記載された化粧材容器の内容物として、眉墨、すなわち、アイブロウのような細径の化粧材を含めることが意図されていることは明らかである。
　また、甲第１号証に記載された化粧品用容器がアイライナー又はアイブロウ用の細径の棒状化粧材容器には適用できないとする格別の事情も見あたらない。
　よって、上記被請求人の上記主張は採用できない。
　
２．本件発明２について
　本件発明２は、本件発明１に「摺動当接部は、爪片の外周面に形成された略半球状の突起である」とする構成を限定したものである。
　甲第１号証発明は、「嵌合爪１０（「爪片」に相当）の外端部（「外周面」に相当）に小突条１１（「摺動当接部」に相当）を備え」た構成を有しており、該小突条１１は断面が円弧状であって、本件発明２の「略半球状の突起」とは相違するが、部材の一部に他の部材に当接する突起を形成する際に、突起として様々な形状のものを試みることは当業者が適宜なし得ることであるところ、「略半球状の突起」も普通に選択し得る形状であって、「略半球状の突起」を採用することによる接触面積が小さくなる等の作用効果は、当業者が普通に予測し得る程度のものにすぎない。
　そうすると、本件発明２の上記限定した構成は、当業者が普通に採用し得る設計的事項と捉え得るものであるから、上記１．での検討内容を踏まえれば、本件発明２も、甲第１号証に記載された発明に基いて、当業者が容易に発明をすることができたものであり、特許法第２９条第２項の規定により特許を受けることができないというべきである。
　
３．本件発明９について
　本件発明９は、本件発明１に「前記先筒の前記摺動溝は、その断面が、内径側の内周線が短く外径側の外周線が長い扇形断面となるように形成され、それにより、摺動溝内に位置する前記爪片を前記摺動溝に係合させ、前記爪片が前記先筒の内径方向へ脱出することを防止した」とする構成を限定したものである。
　一方、甲第１号証発明は、「断面扇形の前記溝（「外筒１２の内壁と案内筒１のスリット切欠４とで形成される溝」：「摺動溝」に相当）と略相似である断面扇形の嵌合爪１０（「爪片」に相当）を前記溝に嵌合（「係合」に相当）させる」構成を有しており、この構成により、爪片が外筒１２を圧入固着した案内筒１（収容筒）の内径方向へ倒れたり、曲がったり、抜け出したりすることを防止し得ること、即ち、爪片が収容筒の内径方向へ脱出することが防止されていることが窺える。
　また、仮に、甲第１号証発明が断面扇形の溝と略相似である断面扇形の嵌合爪を備えているといえないとしても、かかる構成は例えば、甲第６号証に、「化粧料○１（「棒状化粧材」に相当）」を収嵌支持する「中皿○２（「化粧材保持部」に相当）」の上部に設けられた爪状の部分の断面と、「ガイドパイプ○３（「先筒」に相当）」の内側に設けられ、該爪状の部分が摺動する溝の断面とが、互いに係合するように内径側の内周線が短く外径側の外周線が長い扇形断面となるように形成された構成として記載されているように周知の構成であり、甲第１号証発明にこのような周知の構成を採用することに格別のものは認められない。
　そうすると、本件発明９に係る上記限定した構成は、甲第１号証発明が実質的に具備する構成あるいは周知の構成と捉え得るものであるから、上記１．での検討内容を踏まえれば、本件発明９も、甲第１号証に記載された発明に基いて、当業者が容易に発明をすることができたものであり、特許法第２９条第２項の規定により特許を受けることができないというべきである。
　
第７．むすび
　したがって、本件発明１、２及び９は、甲第１号証に記載された発明に基いて、当業者が容易に発明をすることができたものであるので、本件発明１、２及び９の特許は、特許法第２９条第２項の規定に違反してなされたものであり、同法第１２３条第１項第２号に該当し、無効とすべきものである。
　審判に関する費用については、特許法第１６９条第２項の規定で準用する民事訴訟法第６１条の規定により、被請求人が負担すべきものとする。
　よって、結論のとおり審決する。